【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
投写面に画像を投写する複数の投写装置を制御する投写制御装置であって、
前記投写面を撮像する撮像装置から取得した画像に基づいて、前記複数の投写装置のそれぞれの投写領域を取得する取得手段と、
前記複数の投写装置で適用する幾何補正を制御する制御手段と、
を備え、
前記制御手段は、前記取得した画像に基づいて前記複数の投写装置のうち基準投写装置の投写領域に他の投写装置の投写領域を合致させるように前記他の投写装置で適用する幾何補正を制御する第１調整処理を実行する場合に、前記撮像装置が前記投写面を撮像する前に前記複数の投写装置のうち前記他の投写装置で適用されている幾何補正を解除し、前記基準投写装置で適用されている幾何補正を解除しないことを特徴とする投写制御装置。
【請求項２】
前記制御手段は、ユーザにより指定された前記投写面上の４点に前記複数の投写装置の各々の投写領域の４隅を合致させるように、前記複数の投写装置で適用される幾何補正を制御する第２調整処理を実行可能であって、
前記制御手段は、前記第２調整処理を実行する場合、前記撮像装置が前記投写面を撮像する前に、前記複数の投写装置のすべてについて、適用されている幾何補正を解除することを特徴とする請求項１に記載の投写制御装置。
【請求項３】
前記制御手段は各投写装置で適用する幾何補正に用いる補正量を決定し、当該補正量を示す情報を各投写装置に出力して、各投写装置で適用する幾何補正を制御することを特徴とする請求項１に記載の投写制御装置。
【請求項４】
前記制御手段は、前記第１調整処理を開始する前に、前記基準投写装置に投写領域を示す画像を投写させ、前記基準投写装置の投写領域に前記他の投写装置の投写領域を合わせることの承認をユーザに求めることを特徴とする請求項１または２に記載の投写制御装置。
【請求項５】
前記制御手段は、前記基準投写装置に投写領域を示す画像を投写させるとともに、前記幾何補正が解除された前記他の投写装置のそれぞれに投写領域を示す画像を投写させることを特徴とする請求項４に記載の投写制御装置。
【請求項６】
前記制御手段は、前記承認が得られない場合、前記第１調整処理を実行しないことを特徴とする請求項４または５に記載の投写制御装置。
【請求項７】
前記幾何補正が、光学像の台形歪み、樽型歪み、糸巻き型歪みのうち少なくともいずれかを補正するために行われることを特徴とする請求項１から６のいずれか１項に記載の投写制御装置。
【請求項８】
前記複数の投写装置のうち、適用している幾何補正の補正量が最も小さい投写装置を前記基準投写装置として設定する設定手段を更に有することを特徴とする請求項１から７のいずれか１項に記載の投写制御装置。
【請求項９】
前記複数の投写装置からユーザが選択した投写装置を前記基準投写装置として設定する設定手段をさらに有することを特徴とする請求項１から７のいずれか１項に記載の投写制御装置。
【請求項１０】
複数の投写装置と、
請求項１から９のいずれか１項に記載の投写制御装置と、
前記投写面を撮影する撮像装置と、
を有することを特徴とする投写システム。
【請求項１１】
複数の投写装置のうち、複数の調整対象の投写装置の投写領域を調整する投写制御装置であって、
前記複数の投写装置のうち、１つ以上の調整対象の投写装置を選択する選択手段と、
前記選択手段が選択した前記調整対象の投写装置に幾何補正が適用されている場合に、当該幾何補正の適用を解除するか否かをユーザに選択させるための通知を行う通知手段と、
を有することを特徴とする投写制御装置。
【請求項１２】
前記複数の調整対象の投写装置の投写領域に対する幾何補正の実行を制御する制御手段をさらに有し、
前記制御手段は、前記選択手段が選択した前記調整対象の投写装置に適用された幾何補正を解除することをユーザが指示した場合に、当該幾何補正の適用を解除するように、前記選択手段が選択した前記調整対象の投写装置を制御することを特徴とする請求項１１に記載の投写制御装置。
【請求項１３】
前記複数の調整対象の投写装置のうち、いずれか１つを基準の投写装置と設定する設定手段をさらに有し、
前記設定手段は、前記選択手段が選択した前記調整対象の投写装置に適用された幾何補正を解除しないことをユーザが指示した場合に、前記選択手段が選択した前記調整対象の投写装置を、前記基準の投写装置と設定することを特徴とする請求項１１または１２に記載の投写制御装置。
【請求項１４】
前記複数の調整対象の投写装置のうち、いずれか１つを基準の投写装置と設定する設定手段と、
前記基準の投写装置が投写面に画像を投写する投写領域に、他の調整対象の投写装置が投写面に画像を投写する投写領域が合致するように、少なくとも前記他の調整対象の投写装置の投写領域の幾何補正を制御する調整処理を実行する制御手段と、
を備え、
前記制御手段は、前記調整処理を開始する前に、前記他の調整対象の投写装置の投写領域の幾何補正を解除するように制御することを特徴とする請求項１１に記載の投写制御装置。
【請求項１５】
投写面に画像を投写する複数の投写装置を制御する投写制御装置の制御方法であって、
前記投写面を撮像する撮像装置から取得した画像に基づいて、前記複数の投写装置のそれぞれの投写領域を取得する取得工程と、
前記複数の投写装置で適用する幾何補正を制御する制御工程と、を有し、
前記制御工程では、前記取得した画像に基づいて前記複数の投写装置のうち基準投写装置の投写領域に他の投写装置の投写領域を合致させるように前記他の投写装置で適用する幾何補正を制御する第１調整処理を実行する場合に、前記撮像装置が前記投写面を撮像する前に前記複数の投写装置のうち前記他の投写装置で適用されている幾何補正を解除させ、前記基準投写装置で適用されている幾何補正を解除させない、
ことを特徴とする投写制御装置の制御方法。
【請求項１６】
複数の投写装置のうち、複数の調整対象の投写装置の投写領域を調整する投写制御装置の制御方法であって、
前記複数の投写装置のうち、１つ以上の調整対象の投写装置を選択する選択工程と、
前記選択工程で選択された前記調整対象の投写装置に幾何補正が適用されている場合に、当該幾何補正の適用を解除するか否かをユーザに選択させるための通知を行う通知工程と、
を有することを特徴とする投写制御装置の制御方法。
【請求項１７】
コンピュータを、請求項１から９および１１から１４のいずれか１項に記載の投写制御装置の各手段として機能させるためのプログラム。
【請求項１８】
コンピュータを、請求項１から９および１１から１４のいずれか１項に記載の投写制御装置の各手段として機能させるためのプログラムを格納したコンピュータ読み取り可能な記憶媒体。
【手続補正２】
【補正対象書類名】明細書
【補正対象項目名】０００８
【補正方法】変更
【補正の内容】
【０００８】
上述の目的は、投写面に画像を投写する複数の投写装置を制御する投写制御装置であって、投写面を撮像する撮像装置から取得した画像に基づいて、複数の投写装置のそれぞれの投写領域を取得する取得手段と、複数の投写装置で適用する幾何補正を制御する制御手段と、を備え、制御手段は、取得した画像に基づいて複数の投写装置のうち基準投写装置の投写領域に他の投写装置の投写領域を合致させるように他の投写装置で適用する幾何補正を制御する第１調整処理を実行する場合に、撮像装置が投写面を撮像する前に複数の投写装置のうち他の投写装置で適用されている幾何補正を解除し、基準投写装置で適用されている幾何補正を解除しないことを特徴とする投写制御装置によって達成される。
【手続補正３】
【補正対象書類名】明細書
【補正対象項目名】００１６
【補正方法】変更
【補正の内容】
【００１６】
投写システム１０はさらに、例えばデジタルカメラである撮像装置４００を有する。撮像装置４００は投写面に正対する位置に、投写面の全体を撮影範囲として含むように設置されているものとする。撮像装置４００は直接、あるいはＬＡＮを通じて、ＰＣ２００と通信可能に接続される。ＰＣ２００は、撮像装置４００に予め定められたコマンドを送信することにより、撮像装置４００の動作を制御することができる。例えば撮像装置４００はＰＣ２００からの要求に応じて撮影を行い、得られた画像データをＰＣ２００に送信することができる。
【手続補正４】
【補正対象書類名】明細書
【補正対象項目名】００５４
【補正方法】変更
【補正の内容】
【００５４】
図６は、ＣＰＵ２０１が投写制御アプリケーションプログラムを実行することにより表示部２０５に表示されるＧＵＩ画面６００の例を示す図である。ユーザはＰＣ２００の操作部２０４を通じてＧＵＩ画面６００を操作する。なお、図６（ａ）と図６（ｂ）は、ＧＵＩ画面６００の下側の一部でスタック投写に関する表示を行っている場合と、マルチスクリーン投写に関する表示を行っている場合とを示していること以外は共通である。
【手続補正５】
【補正対象書類名】明細書
【補正対象項目名】００８８
【補正方法】変更
【補正の内容】
【００８８】
なお、ここでは調整対象のプロジェクタの全てについて１つずつ撮影条件を確認する場合について説明するが、調整対象のプロジェクタのうち、ユーザが選択した１つについてだけ撮影条件を確認できるようにしてもよい。この場合、調整対象のプロジェクタの１つを選択するためのＧＵＩ（例えば、リストビュー６０３に表示されているプロジェクタの１つを選択するＧＵＩ）を提供し、選択された１つのプロジェクタに対してのみ、Ｓ１０２１以降の処理を実行すればよい。
【手続補正６】
【補正対象書類名】明細書
【補正対象項目名】００９０
【補正方法】変更
【補正の内容】
【００９０】
Ｓ１０２５でＣＰＵ２０１は、通信部２０８を通じてコマンドを送信し、撮像装置４００に撮影条件を設定する。例えば既に「撮影条件自動設定」ボタン６０９の操作により、調整対象のプロジェクタそれぞれについての撮影条件が決定されている場合、ＣＰＵ２０１は該当する撮影条件をＲＡＭ２０２から読み出して設定することができる。あるいは、ＣＰＵ２０１は、撮像装置４００をシャッタスピード優先ＡＥモードに設定し、さらに、シャッタスピードをプロジェクタのフレームレートに応じた値に設定してもよい。この場合、シャッタスピードは、例えば、フレームレート［フレーム／秒］の逆数に等しいシャッタスピード（１／フレームレート［秒］）に設定することができる。
【手続補正７】
【補正対象書類名】明細書
【補正対象項目名】０１０６
【補正方法】変更
【補正の内容】
【０１０６】
「４点指定調整」および「自動形状決定」は、ユーザやＣＰＵ２０１によって予め定められた投写領域に、全てのプロジェクタの投写領域を合致させるキーストーン補正量を自動で決定する処理である。これに対し、「基準プロジェクタに合わせる」は、１つのプロジェクタを基準プロジェクタとして、基準プロジェクタの投写領域に他のプロジェクタの投写領域を合致させるようなキーストーン補正量を自動で決定するモードである。このモードの自動位置合わせが実行されるのは、基準プロジェクタの投写領域の位置が、指定された位置に調整されている場合である。基準プロジェクタ以外のプロジェクタの投写領域を基準プロジェクタの投写領域に合致させるためのキーストーン補正量を自動的に決定する。